(57)【要約】【課題】繋ぎ目部分の発光素子の物理的位置の重なりによって生じる、強い発光を軽減する画像書込装置、画像形成装置、及び画像書込方法を提供することを目的とする。【解決手段】複数個の発光素子が１方向に配列された発光素子アレイと、各発光素子アレイの発光光を感光体に結像させる結像手段とを備えた複数の発光素子アレイユニットが、感光体の軸線方向を主走査方向として、副走査方向に所定量ずれて、主走査方向で所定量重なる状態で千鳥状に配列された画像書込装置であって、各発光素子アレイユニットの有効画像領域を１ドットから任意に補正でき、隣接する発光素子アレイユニットの繋ぎ目部分に跨った複数の画素の画像パターンを参照してパターンマッチングを行い、パターンマッチングに応じて隣接する発光素子アレイユニットの有効画像領域の両方又はいずれか一方の最端部の発光素子アレイの発光光量を制御する。【選択図】図１
2007230106.tif 000002
【特許請求の範囲】
【請求項１】
複数個の発光素子が１方向に配列された発光素子アレイと、該各発光素子アレイの発光光を感光体に結像させる結像手段とを備えた複数の発光素子アレイユニットが、前記感光体の軸線方向を主走査方向として、副走査方向に所定量ずれて、前記主走査方向で所定量重なる状態で千鳥状に配列された画像書込装置であって、
前記各発光素子アレイユニットの有効画像領域を１ドットから任意に補正でき、
隣接する発光素子アレイユニットの繋ぎ目部分に跨った複数の画素の画像パターンを参照してパターンマッチングを行い、該パターンマッチングに応じて前記隣接する発光素子アレイユニットの有効画像領域の両方又はいずれか一方の最端部の発光素子アレイの発光光量を制御することを特徴とする画像書込装置。
【請求項２】
前記隣接する発光素子アレイユニットの繋ぎ目部分に跨った複数の画素の画像パターンを参照してパターンマッチングを行い、該パターンマッチングに応じてライン間で前記各発光素子アレイの駆動電流を調整して、前記隣接する発光素子アレイユニットの有効画像領域の両方又はいずれか一方の最端部の発光素子アレイの発光光量を制御すること特徴とする請求項１記載の画像書込装置。
【請求項３】
前記隣接する発光素子アレイユニットの繋ぎ目部分に跨った複数の画素の画像パターンを参照してパターンマッチングを行い、該パターンマッチングに応じて前記隣接する発光素子アレイユニットの有効画像領域の両方又はいずれか一方の最端部の発光素子アレイの発光光量を制御する場合、前記画像パターンを任意に設定することが可能であることを特徴とする請求項１又は２記載の画像書込装置。
【請求項４】
請求項１から３のいずれか１項に記載の画像書込装置を備え、該画像書込装置を用いて作像を行うことを特徴とする画像形成装置。
【請求項５】
複数個の発光素子が１方向に配列された発光素子アレイと、該各発光素子アレイの発光光を感光体に結像させる結像手段とを備えた複数の発光素子アレイユニットを、前記感光体の軸線方向を主走査方向として、副走査方向に所定量ずれて、前記主走査方向で所定量重なる状態で千鳥状に配列して行う画像書込方法であって、
前記各発光素子アレイユニットの有効画像領域を１ドットから任意に補正でき、
隣接する発光素子アレイユニットの繋ぎ目部分に跨った複数の画素の画像パターンを参照してパターンマッチングを行い、該パターンマッチングに応じて前記隣接する発光素子アレイユニットの有効画像領域の両方又はいずれか一方の最端部の発光素子アレイの発光光量を制御することを特徴とする画像書込方法。
【請求項６】
前記隣接する発光素子アレイユニットの繋ぎ目部分に跨った複数の画素の画像パターンを参照してパターンマッチングを行い、該パターンマッチングに応じてライン間で前記各発光素子アレイの駆動電流を調整して、前記隣接する発光素子アレイユニットの有効画像領域の両方又はいずれか一方の最端部の発光素子アレイの発光光量を制御すること特徴とする請求項５記載の画像書込方法。
【請求項７】
前記隣接する発光素子アレイユニットの繋ぎ目部分に跨った複数の画素の画像パターンを参照してパターンマッチングを行い、該パターンマッチングに応じて前記隣接する発光素子アレイユニットの有効画像領域の両方又はいずれか一方の最端部の発光素子アレイの発光光量を制御する場合、前記画像パターンを任意に設定することが可能であることを特徴とする請求項５又は６記載の画像書込方法。
【発明の詳細な説明】
【技術分野】
【０００１】
本発明は、ＬＥＤヘッドによる光ビームで画像情報を感光体に書き込むことにより画像を形成するための画像書込装置、画像形成装置、及び画像書込方法に関する。
【背景技術】
【０００２】
従来技術例として、２値の画像データに応じて発光制御される複数個の発光素子が一方向に配列された発光素子アレイと、この発光素子アレイ中の前記発光素子が発する光を感光体に対して結像させる結像手段とを備える複数個の発光素子アレイユニットを、前記感光体の軸線方向に一部オーバーラップさせて千鳥状に配列させた光書込装置において、前記発光素子アレイユニット間の繋ぎ目位置に位置する少なくとも一方の前記発光素子の発光光量を制御する光量制御手段を備えることを特徴とする「光書込装置及び画像形成装置」がある（例えば、特許文献１参照）。
【特許文献１】特開２００４−５０６７９号公報
【発明の開示】
【発明が解決しようとする課題】
【０００３】
従来Ａ０広幅機において、画像形成装置の書き込みにおいてはＡ０幅の発光素子アレイユニットが用いられてきたが、このＡ０幅の発光素子アレイユニットが高コストであった。このＡ０幅の書き込みを低コストで実現するためには、像担持体の軸線上に沿って２個、３個の発光素子アレイユニットを配置し分割露光をする方法が利用でき、Ａ０幅にするにはＡ３幅用の発光素子アレイユニットを図３に示すように像担持体軸線方向に千鳥状に３本並べて全体でＡ０幅にして分割露光すれば良い。
【０００４】
発光素子アレイユニットを千鳥状に配置することで、像担持体軸線方向、像担持体回転方向に画像ずれが生じてしまう。このずれを補正するために、像担持体軸線方向に対しては、１dot（ドット）単位での書き込み位置の調整と繋ぎ目部発光素子の発光制御によって補正を行い、像担持体回転方向に対しては発光素子ユニットの出力タイミングを調整して画像データを出力している。
【０００５】
しかし、従来の像担持体軸線方向の画像ずれに対する補正方法繋ぎ目部の光量補正だけでは、組み付け等の誤差により各発光素子アレイユニット繋ぎ目部での発光素子の発光光が像担持体上で重なる、画像によっては、出力時に発光素子アレイユニットの繋ぎ目部分の画像に黒もしくは白の縦筋が現れてしまう場合がある。
【０００６】
本発明は、上記事情に鑑みてなされたものであり、従来の繋ぎ目部の補正制御に加えて、各発光素子アレイユニットの繋ぎ目の画素付近の画像データを参照し、パターンマッチングを行い、隣接する発光素子アレイユニットの画像有効領域の最各端部の発光素子のいずれか一方又は両方の発光の光量を制御することにより、上記問題を改善することを目的とする。
【課題を解決するための手段】
【０００７】
かかる目的を達成するために、請求項１記載の発明は、複数個の発光素子が１方向に配列された発光素子アレイと、各発光素子アレイの発光光を感光体に結像させる結像手段とを備えた複数の発光素子アレイユニットが、感光体の軸線方向を主走査方向として、副走査方向に所定量ずれて、主走査方向で所定量重なる状態で千鳥状に配列された画像書込装置であって、各発光素子アレイユニットの有効画像領域を１ドットから任意に補正でき、隣接する発光素子アレイユニットの繋ぎ目部分に跨った複数の画素の画像パターンを参照してパターンマッチングを行い、パターンマッチングに応じて隣接する発光素子アレイユニットの有効画像領域の両方又はいずれか一方の最端部の発光素子アレイの発光光量を制御することを特徴とする。
【０００８】
請求項２記載の発明は、請求項１記載の発明において、隣接する発光素子アレイユニットの繋ぎ目部分に跨った複数の画素の画像パターンを参照してパターンマッチングを行い、パターンマッチングに応じてライン間で各発光素子アレイの駆動電流を調整して、隣接する発光素子アレイユニットの有効画像領域の両方又はいずれか一方の最端部の発光素子アレイの発光光量を制御すること特徴とする。
【０００９】
請求項３記載の発明は、請求項１又は２記載の発明において、隣接する発光素子アレイユニットの繋ぎ目部分に跨った複数の画素の画像パターンを参照してパターンマッチングを行い、パターンマッチングに応じて隣接する発光素子アレイユニットの有効画像領域の両方又はいずれか一方の最端部の発光素子アレイの発光光量を制御する場合、画像パターンを任意に設定することが可能であることを特徴とする。
【００１０】
請求項４記載の発明は、請求項１から３のいずれか１項に記載の画像書込装置を備え、画像書込装置を用いて作像を行うことを特徴とする。
【００１１】
請求項５記載の発明は、複数個の発光素子が１方向に配列された発光素子アレイと、各発光素子アレイの発光光を感光体に結像させる結像手段とを備えた複数の発光素子アレイユニットを、感光体の軸線方向を主走査方向として、副走査方向に所定量ずれて、主走査方向で所定量重なる状態で千鳥状に配列して行う画像書込方法であって、各発光素子アレイユニットの有効画像領域を１ドットから任意に補正でき、隣接する発光素子アレイユニットの繋ぎ目部分に跨った複数の画素の画像パターンを参照してパターンマッチングを行い、パターンマッチングに応じて隣接する発光素子アレイユニットの有効画像領域の両方又はいずれか一方の最端部の発光素子アレイの発光光量を制御することを特徴とする。
【００１２】
請求項６記載の発明は、請求項５記載の発明において、隣接する発光素子アレイユニットの繋ぎ目部分に跨った複数の画素の画像パターンを参照してパターンマッチングを行い、パターンマッチングに応じてライン間で各発光素子アレイの駆動電流を調整して、隣接する発光素子アレイユニットの有効画像領域の両方又はいずれか一方の最端部の発光素子アレイの発光光量を制御すること特徴とする。
【００１３】
請求項７記載の発明は、請求項５又は６記載の発明において、隣接する発光素子アレイユニットの繋ぎ目部分に跨った複数の画素の画像パターンを参照してパターンマッチングを行い、パターンマッチングに応じて隣接する発光素子アレイユニットの有効画像領域の両方又はいずれか一方の最端部の発光素子アレイの発光光量を制御する場合、画像パターンを任意に設定することが可能であることを特徴とする。
【発明の効果】
【００１４】
本発明によれば、繋ぎ目部分の発光素子の物理的位置の重なりによって生じる、目的より強い発光を軽減することが可能となる。
【発明を実施するための最良の形態】
【００１５】
以下、本発明を実施するための最良の形態について添付図面を参照して詳細に説明する。
【実施例】
【００１６】
本発明の実施例となる画像形成装置の概要について図１を参照して説明する。本実施例の画像形成装置は、原稿を読み取るための読取手段としての原稿読取装置（読取部）１００、読み取られた原稿情報を記憶する記憶手段としての画像情報記憶装置３００、記憶された情報を転写紙に複写するための一連のプロセスを実行する複写装置（書込部）５００、これらを制御するシステム制御装置３０２、このシステム制御装置にキー入力を行う操作手段としての操作装置４００等、を有して構成されている。
【００１７】
次に、図１及び図２を参照して原稿読取装置（読取部）１００の構成を説明する。
オペレータが原稿を挿入口から挿入すると、原稿は、ローラ２１の回転により密着センサ１０１と白色ローラ２３との間を通して搬送される。搬送中の原稿は、密着センサ１０１に取り付けられているＬＥＤ素子により光が照射され、その反射光から密着センサ１０１に結像されて原稿画像情報が読み取られる。
【００１８】
図１に示すように、密着センサ１０１は、結像された原稿画像をアナログの電気信号に変換し、この電気信号は画像増幅回路１０２で増幅される。Ａ／Ｄ変換回路１０３は、画像増幅回路１０２で増幅された画像信号を画素ごとに多値デジタル画像信号に変換する。このデジタル画像信号は、Ａ／Ｄ変換回路１０３にて同期制御回路１０６から出力されるクロックに同期して出力され、シェーディング補正回路１０４により、上記ＬＥＤ素子の光量ムラ、密着センサ１０１の感度ムラ等による歪みを補正する。
【００１９】
シェーディング補正回路１０４で補正されたデジタル画像情報は、画像処理回路１０５でデジタル記録画像情報に変換された後、画像情報記憶部３００の記憶手段としての画像メモリ部３０１に書き込まれる。また、読取制御回路１０７は、読取部１００内の同期制御回路１０６などを制御し、スキャナ駆動装置１０８は、読取部１００内のローラ２１や白色ローラ２３（図２参照）などを回転させるモータ等を駆動する。
【００２０】
次に、画像メモリ部３０１に書き込まれた画像情報により転写して画像を形成するための一連のプロセスを制御するシステム制御装置３０２と、書込部５００の構成について説明する。
【００２１】
システム制御装置３０２は、本画像形成装置の全体制御を行う機能があり、読取制御回路１０７、同期制御回路１０６、画像メモリ部３０１、ＬＥＤ書込制御回路５０２による画像データ転送を制御し、駆動制御回路５０４に対してスキャナ駆動回路１０８、プリンタ駆動装置５０５を介してモータ等を駆動させて原稿及び転写紙搬送を円滑に制御する。
【００２２】
書込部５００では、画像メモリ部３０１より同期信号クロックにより転送された画像信号をＬＥＤ書込制御回路５０２で１画素単位ビットに変換し、発光素子アレイユニットとしてのＬＥＤアレイユニット５０３−１〜５０３−３で赤外光に変換して出力する。
【００２３】
次に、図２を参照して上記本実施例の画像形成装置の画像形成プロセスを説明する。
図２において、帯電装置２４は、像担持体としてのドラム状感光体２５を−２５００Ｖに一様に帯電させるグリッド付きのスコロトロンチャ-ジャと呼ばれる帯電装置であり、感光体２５は図示しないモータにより回転駆動される。
【００２４】
ＬＥＤアレイユニット５０３は、図１のＬＥＤアレイユニット５０３−１〜５０３−３を一次元に配列することで複数個のＬＥＤ素子を主操作方向にアレイ状に並べたもので、ＬＥＤ書込制御５０２からの画像情報に基づいてＬＥＤアレイユニット５０３−１〜５０３−３の各ＬＥＤが発光して、それらの光を工学素子であるセルフォックレンズアレイ（結像手段）を介して感光体２５に照射する。
【００２５】
感光体２５は、ＬＥＤアレイユニット５０３からデジタル画像情報に基づいた光が照射されると、光導電現象で表面の電荷がアースに流れて消滅する。ここで、ＬＥＤアレイユニット５０３は、原稿の画像濃度の淡い部分ではＬＥＤ素子が発光せず、原稿の画像濃度が濃い部分ではＬＥＤ素子が発光する。これにより、感光体２５上の光照射部は原稿画像の濃淡に対応した静電潜像が形成される。この感光体２５上の静電潜像は現像装置２７によって現像されてトナー象となる。現像装置２７は内部のトナーが撹拌により負に帯電されており、バイアスが−７００Ｖ印可されているため、感光体２５上の光照射部分だけにトナーが付着する。
【００２６】
一方、シート状記録媒体としての転写紙は、３つの給紙台（トレイ）２８〜３０及び図示しない手差し部から選択的にレジストローラ３１に給送され、レジストローラ３１により所定のタイミングで送り出されて感光体２５の下部を通過し、このときに転写手段としての転写チャージャ３２により感光体２５上のトナー像が転写される。そして、転写紙は、感光体２５から分離チャージャ３３により分離されて、搬送タンク３４により定着装置３５に送られ、そこでトナーが定着される。トナーが定着された転写紙は、排紙ローラ３６、３７により画像形成装置外に排紙される。
【００２７】
次に、書き込部構成・内部制御に関しての説明をする。
ＬＰＨ構成に関して図３を用いて説明する。
（１）両側に１２０dot分の余白（シフト等のための余裕）を持たせる（５mmのシフトが可能→制御では±２mm）。
（２）ヘッド間の繋ぎ目部はＬＰＨ１、３が５２４dot、ＬＰＨ２が６８dot分を重複させて、それぞれの画像有効領域を制御することにより、画像が重ならないようにする。
（３）ＬＰＨ２の画像データ位置は固定し、ＬＰＨ１、３の画像を（画像有効領域の幅を固定のまま）シフトさせることにより、ヘッド間の位置補正を行う。
（４）ＬＰＨ１、３の画像をシフトさせるためにＳＲＡＭのＡ群、Ｂ群（図４参照）の書込アドレスを指定することで可能となる。
（５）ＬＰＨ間の距離を極力短く（画像遅延メモリを減らす）するため、ＬＰＨ１、３に対し、ＬＰＨ２は１８０度反対の向きに実装される。
（６）ＬＥＤ書き込み制御回路５０２からの画像転送は、左から右であるが、上記（５）の取り付けにより、ＬＰＨ１、３は、右から左への画像転送で、ＬＰＨ２は左から右となる。
【００２８】
ＬＥＤ制御回路５０２においての画像データの置換と制御の流れを説明する。まず、全体の制御ブロックを図４に示す。
ＩＰＵからＯＤＤ（オッド）:１bit、ＥＶＥＮ（イーブン）:１bitの画像データが同時にレジスタＣＬＫ１[１５:０]の転送速度で送られてくる。（ＬＶＤＳ）転送されたデ−タは、パターン処理部にて処理が行われる。
【００２９】
レジスタModeselにて繋ぎ目部補正が無効になっている場合は、画像データはそのまま通り過ぎる。
【００３０】
レジスタModeselにて繋ぎ目部補正が有効になっている場合は、繋ぎ目部の補正制御１のためにパターン処理部にて図５、６、７に示すようにＬＰＨ１、ＬＰＨ２の繋ぎ目部分においてレジスタＬＰＡＴ１〜１２[９:０]にて設定したＬＰＨ１、ＬＰＨ２の繋ぎ目にまたがる画像パターンに応じて、ＬＰＨ１の有効画像領域の右最端部に当たる画素はLgaso１１[５:０]〜Lgaso１２１[５:０]にて設定した値、ＬＰＨ２の有効画像領域の左最端部に当たる画素はレジスタLgaso１２[５:０]〜Lgaso１２２[５:０]にて設定した値で光量値が再設定されて、繋ぎ目補正がなされる。
【００３１】
また、ＬＰＨ２、ＬＰＨ３の繋ぎ目部分においても、レジスタＲＰＡＴ１〜１２[９:０]にて設定したＬＰＨ２、ＬＰＨ３の繋ぎ目にまたがる画像パターンに応じて、ＬＰＨ２の有効画像領域の右最端部に当たる画素はRgaso１１[５:０]〜Rgaso１２１[５:０]にて設定した値、ＬＰＨ３の有効画像領域の左最端部に当たる画素はレジスタRgaso１２[５:０]〜Rgaso１２２[５:０]にて設定した値で光量値が再設定されて、繋ぎ目補正がなされる。
【００３２】
この時、画像中の繋ぎ目部の情報は、ＳＲＡＭへ画像データを書き込む際に使用するレジスタである書き込み開始アドレス、スタートブロック、終了アドレス、エンドブロック、ヘッド１−２間、ヘッド２−３間の繋ぎ目アドレスを参照すればよく、それは図８に示すように、それぞれＩＰＵからのレジスタ、ＨＳＴＡＤＲＳ[１１:０]、ＨＳＴＢＬＫ[１:０]、ＨＥＮＡＤＲＳ[１１:０]、ＨＥＮＢＬＫ[１:０]、ＨＣＮＡＤＲＳ１[７:０]、ＨＣＮＡＤＲＳ１[１１:０]の設定により決定される。
【００３３】
その後、ダブルコピー機能・密度変換用ＳＲＡＭのＤ（またはＥ）に書き込まれ、レジスタ設定によりダブルコピー機能や密度変換し、６００dpiのデータが読み出される（６００dpiデータならそのまま出力する）。
【００３４】
ＳＲＡＭのＤ（またはＥ）の書き込み・読み出しにより、転送周波数の書き込みでは、ＩＰＵからのクロックで行い、読み出しでレジスタＣＬＫ２[１５:０]のＣＬＫを使用し周波数変換する。
【００３５】
次に、転送された画像データはＬＰＨ３本にあたる画像データＲＡＭ部のＡ郡ＳＲＡＭ３個に１ライン分のデータをレジスタＣＬＫ３[１５:０]の転送速度で順に分割書き込みする。
【００３６】
このＳＲＡＭ制御について以下に詳しく述べる。
最大２１６００ドットの画像データのＳＲＡＭへの書き込みは、以下の図９の流れに沿って行われる。
図９に示すように、ＬＰＨには、転送される画像データが、ヘッド上の物理位置Ａから順に格納される。この順に合うように、３個のＳＲＡＭを共通の読みだしカウンタで、アドレス０から順に読み出される。この時にデータがとつながるように、書き込み時にアドレスを制御して、図９のシーケンスで書き込む。
【００３７】
ＬＰＨ間の位置補正は、ＬＰＨ１、３の書き込み位置をずらすことで行う。
ＳＲＡＭの一つのアドレスに４画素単位（入力画像デ−タＯ／Ｅ：オッド・イーブンを２クロックでラッチさせ４画素単位とする）で格納するので、アドレスの制御では、４画素単位のシフトになる。
【００３８】
図１０の左側のように書き込みアドレスを一つ早めることで画像を４画素分手前にシフトさせることが可能である。また、アドレスを一つ遅らせることで画像を４画素分奥にシフトさせることが可能である。
【００３９】
次に、１画素単位にシフトを行うためには、図１１、１２のように、書き込み開始アドレスは変化させずに、データのフォーマットを１画素分ずれたものにする。１画素単位のシフト設定方法は、図１３のレジスタＢＩＴＳＨＩＦＴを使用する。
【００４０】
上記フォーマット変換は、４画素入力をそれぞれラッチし、組み合わせを変えることで変換される。ＬＰＨ１は、最後に１アドレス余分に書き込むため、タイミングが１クロックずれるのでＬＰＨ２、３に行くデータは１クロック遅延されたものを使用する。ＬＰＨ３を１クロック遅延させる時は、この遅延されたデータからさらにずれ込む。このとき、主走査方向の書き込み範囲の制御（１ドット補正）、ＬＰＨ間の位置補正が行われ、４ドットを１アドレスに指定しながら書き込まれる。このように１ドット単位で画像領域を変更させることで、繋ぎ目部の画像が白スジになってしまった場合も黒スジになるように画像有効領域の端部を重ね、繋ぎ目部を補正して対応する。
【００４１】
ＳＲＡＭへの書き込みアドレスは、ＬＰＨ１、３の取り付けが転送方向左に対して逆であるため、書き込みアドレスもダウンカウントで転送される。
【００４２】
次に、Ａ郡のＳＲＡＭ３個に書き込まれた１ライン分の画像データは、レジスタＣＬＫ４[１５:０]の指定の速度で３ヶ同時に読み出される。読み出しアドレスは、０から始まり１９１９カウントし、ＬＰＨ１本分１９２０＊４＝７６８０dotを転送する。
【００４３】
ＳＲＡＭから読み出された各ＬＰＨの画像データは、４アドレス分１６ドットの画像データのうち、まずＯＤＤデータ分を取り出し、８ビット（ドット）を１ブロックとし、ＬＰＨ１のデータは、ＡＳＩＣ内部の次のブロックへ、ＬＰＨ２のデータは、フィールドメモリ（ＦＭ１）へ、ＬＰＨ３のデータはフィールドメモリ（ＦＭ３）へ、レジスタＣＬＫ５[１５:０]の転送速度で転送する。
【００４４】
ここで、ＳＲＡＭからの読み出しデータは、ＯＤＤデータ全てが終了したら、今度はＥＶＥＮデータを行うので２回アドレスカウントすることになる（ＬＰＨ１とＬＰＨ３はＬＰＨ取り付けが逆であり、転送方向も右から左であるので、ＥＶＥＮデータより転送する）。８ドット単位でデータフォーマットされ、ＬＰＨ１のデータは次の内部ブロックへ転送されるが、ＬＰＨ２、３のデータはフィールドメモリで副走査ライン遅延させる。
【００４５】
ＬＰＨ２はＬＰＨ１と１７.５mm（４１３ライン）副走査にずれているため、フィールドメモリを２ヶカスケード接続して副走査の制御を行う。ＬＰＨ３はＬＰＨ１と０.４mm（９ライン）副走査にずれているのでフィールドメモリ１ヶにて制御する。
【００４６】
フィールドメモリからレジスタＣＬＫ６[１５:０]の転送クロックで読み出された画像データは、再びＡＳＩＣ内に入力される。この後ＬＰＨへ画像データが転送される。
【００４７】
レジスタmodeselにて繋ぎ目補正が無効になっている場合は、画像データはそのまま転送される。フィールドメモリから読み出された８ドット単位のデータは、４dot毎に変換され、レジスタＣＬＫ７[１５:０]の転送速度で各ＬＰＨへ転送され印字される。
【００４８】
また、レジスタmodeselにて繋ぎ目補正が有効になっている場合は、図１４に示すようにレジスタLSYNC_itvl[３９:０]にて最適値に１ライン分の時間を設定して、各ラインの先頭で更新した、繋ぎ目部の各画素に適応する光量補正値であるレジスタ値で発光素子アレイユニットを光量補正してから、ＬＰＨ５０３−１〜３へとデータを送信する。
【００４９】
以上が１ラインのデータ転送動作であり、２ライン目の画像デ−タは、入力でＳＲＡＭのＥに入り、主走査ＳＲＡＭではＢ群で書き込み・読み出しされ、主走査ごとＳＲＡＭを切り替えて（ＳＲＡＭのＤとＥ、ＳＲＡＭのＡ郡とＢ群）トグル動作で制御する。
【００５０】
以上説明したように本実施例の画像書込装置及び画像書込方法によれば、複数個の発光素子が１方向に配列された発光素子アレイと当該発光素子アレイの発光光を感光体に結像させる結像手段を備えた複数の発光素子アレイユニットが、前記感光体の軸線方向を主走査方向として副走査方向に所定量ずれて、主走査方向で所定量重なる状態で千鳥状に配列され、各発光素子アレイユニットの有効画像領域を１ドットから任意に補正でき、隣接する発光素子アレイユニットの繋ぎ目部分に跨った複数の画素の画像パターンを参照して、パターンマッチングを行い、それに応じて隣接する発光素子アレイユニットの有効画像領域の両方又はいずれか一方の最端部の発光素子の発光光量を制御することで、繋ぎ目部分の発光素子の物理的位置の重なりによって生じる、目的より強い発光を軽減できる。
【００５１】
また、本実施例の画像書込装置及び画像書込方法によれば、隣接する発光素子アレイユニットの繋ぎ目部分に跨った複数の画素の画像パターンを参照して、パターンマッチングを行い、それに応じてライン間で各発光素子の駆動電流を調整して、隣接する発光素子アレイユニットの有効画像領域の両方又はいずれか一方の最端部の発光素子の発光光量を制御することで、２値仕様の発光素子アレイユニットに対応できる。
【００５２】
また、本実施例の画像書込装置及び画像書込方法によれば、隣接する発光素子アレイユニットの繋ぎ目部分に跨った複数の画素の画像パターンを参照して、パターンマッチングを行い、それに応じて、隣接する発光素子アレイユニットの有効画像領域の両方又はいずれか一方の最端部の発光素子の発光光量を制御する場合において、発光光量を制御する参照画像パターンを任意に設定することで、各画像書込装置の固有の差に対応できる。
【００５３】
また、本実施例の画像形成装置によれば、上記本実施例の画像書込装置を備え、その画像書込装置を用いて作像を行うようにしたことで、繋ぎ目部の画質を改善できる。
【００５４】
以上、本発明の実施例について説明したが、上記実施例に限定されるものではなく、その要旨を逸脱しない範囲において種々の変形が可能である。
【産業上の利用可能性】
【００５５】
本発明は、画像書込装置及び画像形成装置全般に適用できる。
【図面の簡単な説明】
【００５６】
【図１】本発明の実施例である画像形成装置の要部構成を示すブロック図である。
【図２】本発明の実施例である画像形成装置の要部構成を示す側断面図である。
【図３】本発明の実施例である画像形成装置が備える各ＬＰＨの構成を示す図である。
【図４】本発明の実施例である画像形成装置の制御系の構成を示すブロック図である。
【図５】本発明の実施例である画像形成装置が備える発光素子アレイユニットの繋ぎ目部分の補正例を示す図である。
【図６】本発明の実施例である画像形成装置の繋ぎ目部分の補正レジスタの一例を示す図である。
【図７】本発明の実施例である画像形成装置の繋ぎ目部分の補正レジスタの一例を示す図である。
【図８】本発明の実施例である画像形成装置のＳＲＡＭ書き込み制御レジスタを示す図である。
【図９】本発明の実施例である画像形成装置に係り、ＳＲＡＭ書き込み制御のシーケンスを示す図である。
【図１０】本発明の実施例である画像形成装置に係り、ＬＰＨ位置補正のシーケンスの一例を示す図である。
【図１１】本発明の実施例である画像形成装置に係り、ＬＰＨ位置補正のシーケンスの一例を示す図である。
【図１２】本発明の実施例である画像形成装置に係り、ＬＰＨ位置補正のシーケンスの一例を示す図である。
【図１３】本発明の実施例である画像形成装置に係り、１ドットシフト制御レジスタを示す図である。
【図１４】本発明の実施例である画像形成装置に係り、光量補正制御を示す図である。
【符号の説明】
【００５７】
２１    ローラ
２３    白色ローラ
２４    帯電装置
２５    感光体
２７    現像装置
２８、２９、３０    給紙台
３１    レジストローラ
３２    転写チャージャ
３３    分離チャージャ
３４    搬送タンク
３５    定着装置
３６、３７    排紙ローラ
１００    読取部
１０１    密着センサ
１０２    画像増幅回路
１０３    Ａ／Ｄ変換回路
１０４    シェーディング補正回路
１０５    画像処理回路
１０６    同期制御回路
１０７    読取制御回路
１０８    スキャナ駆動回路
３００    画像情報記憶部
３０１    画像メモリ部
３０２    システム制御装置
４００    操作部
５００    書込部
５０２    ＬＥＤ書込制御回路
５０３    ＬＥＤアレイユニット（ＬＰＨ１，ＬＰＨ２，ＬＰＨ３）
５０３−１    ＬＰＨ１
５０３−２    ＬＰＨ２
５０３−３    ＬＰＨ３
５０４    駆動制御回路
５０５    プリンタ駆動装置
【図１】
2007230106.tif 000003
【図２】
2007230106.tif 000004
【図３】
2007230106.tif 000005
【図４】
2007230106.tif 000006
【図５】
2007230106.tif 000007
【図６】
2007230106.tif 000008
【図７】
2007230106.tif 000009
【図８】
2007230106.tif 000010
【図９】
2007230106.tif 000011
【図１０】
2007230106.tif 000012
【図１１】
2007230106.tif 000013
【図１２】
2007230106.tif 000014
【図１３】
2007230106.tif 000015
【図１４】
2007230106.tif 000016